(57)【要約】【課題】センサ部と発光部とを分離するように遮光壁を配設することにより、センサ部の動作において不具合が生じるのを回避し得る補助部品ユニット及び照明器具を提供する。【解決手段】本発明は、少なくとも赤外線リモコン送信器Ｒから送信される制御信号を受信する赤外線リモコン信号受信部８４を含む光を受光して動作するセンサ部８４、８５と、光を放射する発光部８６、８８と、これらセンサ部８４、８５と発光部８６、８８とを分離するように配設された遮光壁８１ｂとを備える補助部品ユニット８である。【選択図】図１０
2012109058.tif 000002
【特許請求の範囲】
【請求項１】
少なくとも赤外線リモコン送信器から送信される制御信号を受信する赤外線リモコン信号受信部を含む光を受光して動作するセンサ部と；
光を放射する発光部と；
これらセンサ部と発光部とを分離するように配設された遮光壁と；
を具備することを特徴とする補助部品ユニット。
【請求項２】
器具本体と；
この器具本体に配設された請求項１に記載の補助部品ユニットと；
を具備することを特徴とする照明器具。
【発明の詳細な説明】
【技術分野】
【０００１】
本発明の実施形態は、例えば、赤外線リモコン信号受信部等のセンサ部や常夜灯等の発光部が設けられた補助部品ユニット及びこの補助部品ユニットが配設された照明器具に関する。
【背景技術】
【０００２】
従来、例えば、環状蛍光ランプを主光源とする一般住宅用の照明器具においては、リモコン信号受信部や補助光源（常夜灯）等の電気的補助部品は、主光源とともに本体に分散して配設されてセードによって覆われている。
したがって、各補助部品が分散して設けられていることにより、その配線処理や組立作業の効率が低下するという問題が生じていた。
そこで、これら各補助部品をユニット化して集中化することにより配線処理や組立作業の効率の向上を図ることが考えられる。
【先行技術文献】
【特許文献】
【０００３】
【特許文献１】特開平１０−２２３０３９号公報
【発明の概要】
【発明が解決しようとする課題】
【０００４】
しかしながら、各補助部品には、光を受光して動作するセンサ部を構成する部品や光を放射する発光部を構成する部品等、各種の機能を有する部品がある。これら部品が集中化されて混在すると、例えば、発光部から放射される光がノイズとしてセンサ部に作用して動作において不具合が生じる可能性がある。
【０００５】
本発明は、上記課題に鑑みなされたもので、センサ部と発光部とを分離するように遮光壁を配設することにより、センサ部の動作において不具合が生じるのを回避し得る補助部品ユニット及び照明器具を提供することを目的とする。
【課題を解決するための手段】
【０００６】
本発明の実施形態による補助部品ユニットは、少なくとも赤外線リモコン送信器から送信される制御信号を受信する赤外線リモコン信号受信部を含む光を受光して動作するセンサ部と、光を放射する発光部とを有している。また、これらセンサ部と発光部とを分離するように配設された遮光壁を備えている。
【発明の効果】
【０００７】
本発明の実施形態によれば、センサ部の動作において不具合が生じるのを回避し得る補助部品ユニット及び照明器具を提供することができる。
【図面の簡単な説明】
【０００８】
【図１】本発明の実施形態に係る照明器具を示す斜視図である。
【図２】同照明器具を分解して示す斜視図である。
【図３】同器具本体を背面側から見て示す斜視図である。
【図４】図３中、Ｘ−Ｘ線に沿って示す断面図である。
【図５】図４中、Ａ部を示す拡大図である。
【図６】図４中、Ｂ部を示す拡大図である。
【図７】補助部品ユニットにおけるユニット基板を示す斜視図である。
【図８】同補助部品ユニットにおけるユニット基板を示す側面図である。
【図９】補助部品ユニットにおいて、ケースカバーを取外した状態で前面側から見て示す平面図である。
【図１０】図１０中、Ｘ−Ｘ線に沿って示す補助部品ユニットの断面図である。
【図１１】同照明器具の天井面への取付状態を示す断面図である。
【発明を実施するための形態】
【０００９】
以下、本発明の実施形態について図１乃至図１１を参照して説明する。なお、各図においてリード線等による配線接続関係は基本的には省略して示している。また、各図において同一部分には同一符号を付し、重複した説明は省略する。
【００１０】
本実施形態の照明器具は、器具取付面に設置された配線器具としての引掛けシーリングボディに取付けられて使用される形式であり、導光板を用いて例えば、室内の照明を行うものである。
【００１１】
図１乃至図４において、照明器具は、器具本体１と、器具取付面としての天井面Ｃに設置された配線器具としての引掛けシーリングボディＣｂに電気的かつ機械的に接続されるアダプタＡ（図２及び併せて図１０参照）と、赤外線リモコン送信器Ｒとを備えている。器具本体１は、図１に示すように略正方形状の外観に形成され、前面側を光の照射面とし、背面側を天井面Ｃへの取付面としている。
【００１２】
図２に代表して示すように、器具本体１は、点灯装置２と、サポートシャーシ３と、センターシャーシ４と、取付部としてのアダプタガイド５と、光源部６と、導光板７と、補助部品ユニット８と、本体枠９と、カバー部材１０とを備えている。これら構成要素について順次説明する。
【００１３】
点灯装置２は、アルミニウム等の金属材料で形成された箱状のカバーケースと、このカバーケース覆われるように収容された回路基板及びこの基板に実装された回路部品とから構成されており、アダプタＡを介して商用交流電源に接続されるようになっていて、この交流電源を受けて直流出力を生成するものである。したがって、点灯装置２は、後述する光源部６に電気的に接続されて、その直流出力を発光素子６１に供給し、発光素子６１を点灯制御するようになっている。この点灯装置２は、サポートシャーシ３の背面側に位置して取付けられている（図３参照）。
【００１４】
サポートシャーシ３は、アルミニウム等の金属材料から略正方形状に形成されており、正方形状の浅皿状の凹部３１を有し、この凹部３１の各辺には外側に段状に屈曲して延出する取付片３２が形成されている。また、凹部３１の前面側は、導光板７を支持する支持面として構成されており、さらに、略中央部には、四角形状の開口３３が形成されている。
【００１５】
センターシャーシ４は、冷間圧延鋼板等の金属材料から略直方体の箱状に形成されており、一端側（図示上、下側）を開放し、この開放した各辺には外側に向かって水平方向に延出する鍔状の当接部４１が形成されている。また、他端側（図示上、上側）には、円形状の開口４２が形成されている。したがって、センターシャーシ４は、全体としては高さの低い直方体形状をなしている。当接部４１は、導光板７の背面側にサポートシャーシ４を介して当接される部分であり、開口４２は、アダプタＡが挿通される部分である。そして、図５に示すように、センターシャーシ４の当接部４１は、サポートシャーシ３における開口３３の周辺部に上から重合されるように配置され、こられが固定手段によって固着されている。なお、センターシャーシ４の当接部４１は、導光板７を補強する機能を有している。
【００１６】
取付部としてのアダプタガイド５は、図５、図７及び図９の参照を加えて示すように、センターシャーシ４と同様に、全体としては高さの低い直方体形状に形成されていて、中央部にアダプタＡが挿通し、係合する係合口５１が設けられており、下端側に外方へ向かう鍔部５２が形成されている。このアダプタガイド５は、その外周面がセンターシャーシ４の内周面に接するように配設され取付けられている。また、アダプタガイド５は、後述するカバー部材１０が着脱可能に取付けられる着脱機構を備えている。
【００１７】
光源部６は、図２、図４及び図６に示すように、発光素子６１が実装された基板６２と、この基板６２が取付けられる取付部材としての取付板６３とから構成されている。
【００１８】
基板６２は、横長の長方形状で絶縁材であるガラスエポキシ樹脂の平板からなり、表面側には銅箔で形成された配線パターンが施されている。また、適宜レジスト層が施されるようになっている。なお、基板６２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００１９】
発光素子６１は、ＬＥＤであり、表面実装型のＬＥＤパッケージである。このＬＥＤパッケージが基板６２の長手方向に沿って多数直線状に並べられて実装され配設されている。ＬＥＤパッケージは、概略的にはセラミックスで形成された本体に配設されたＬＥＤチップと、このＬＥＤチップを封止するエポキシ系樹脂やシリコーン樹脂等のモールド用の透光性樹脂とから構成されている。
【００２０】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２１】
なお、ＬＥＤは、ＬＥＤチップを直接基板６２に実装するようにしてもよく、また、砲弾型のＬＥＤを実装するようにしてもよく、実装方式や形式は、格別限定されるものではない。
【００２２】
取付板６３は、アルミニウムや亜鉛めっき鋼板等の熱伝導が良好な材料から作られており、横長で側面が略Ｃ型形状に形成されている。この取付板６３の内側壁には、基板６２が、ねじ止め等によって、その裏面側が密着するように取付けられている。したがって、光源部６は、取付板６３に基板６２が取付けられてユニット化されている。
【００２３】
本実施形態では、主として図２に示すように、このユニット化された光源部６が２個用いられており、導光板７の対向する二つの辺に対応して配設されるようになっている。なお、このユニット化された光源部６は、導光板７の各辺に対応するように配設してもよく、適宜設計に応じて選択することができる。
【００２４】
導光板７は、アクリル樹脂等の透過率の高い材料を用いて四角形状の平板状に形成され、背面側の全面には光を拡散する多数の白色の反射ドットからなるドットパターンが印刷によって形成されているとともに反射シートが設けられている。また、前面側の全面には、拡散シートが設けられている。さらに、導光板７の略中央部には、アダプタガイド５の外形と対応し、また、アダプタＡと対応するように四角形状の開口７１が形成されている。また、この導光板７の外周部である四角形状の各辺、すなわち、側端面は、発光素子６１から出射される光が入射して導光板７内を進行する光入射端面７２として機能するようになっている。
【００２５】
補助部品ユニット８は、図７乃至図１０の参照を加えて説明するように、横長箱状のケース８１内にユニット基板８２及びこの基板８２に実装された複数の電気的補助部品を備えて構成されている。本実施形態における電気的補助部品は、赤外線リモコン信号受信部８４、照度センサ８５、補助光源としての常夜灯８６、スイッチ８７やモニターランプ８８等である。
【００２６】
この補助部品ユニット８は、照明器具、すなわち、器具本体１の外周縁部、具体的には、本体枠９の一辺側に配設される。したがって、導光板７の発光領域の外側に配設されるようになっている。
【００２７】
赤外線リモコン信号受信部８４は、赤外線受光ＩＣであり、光電変換素子であるフォトダイオードや増幅器等から構成されており、赤外線リモコン送信器Ｒから送信される赤外線制御信号を受信して発光素子６１の発光状態等を制御するように動作する。照度センサ８５は、フォトダイオード等からなっており、周囲の明るさを測定して検出信号を出力するように動作する。これにより周囲が明るい場合には、発光素子６１を減光（調光）して点灯するように制御する。
【００２８】
常夜灯８６には、その光源として前面側にレンズが設けられたＬＥＤのパッケージが用いられていて、このパッケージが４個実装されている。スイッチ８７は、赤外線リモコン信号受信部８４のチャンネルを切換えるチャンネル設定スイッチである。また、モニターランプ８８は、例えば、緑色発光のＬＥＤが用いられており、調光状態を表示するようになっている。なお、常夜灯８６やモニターランプ８８としては、小形のランプを用いるようにしてもよい。
【００２９】
ユニット基板８２の約１／３強の領域（図７上、右側）には、反射層８２ａとして白色のレジスト層が形成されている。この反射層８２ａが形成されている領域には、光を放射する常夜灯８６、モニターランプ８８が配設されており、これによって光を有効に前面側に放射できるようになっている。つまり、ユニット基板８２上には、反射層８２ａを境として光を放射する部品と、それ以外の部品とが分けられて配設されている。
【００３０】
図１０に示すように、箱状のケース８１内には、ユニット基板８２が取付けられており、このケース８１の表面側には透光性のケースカバー８１ａが取付けられている。
【００３１】
図９及び図１０に示すように、箱状のケース８１の表面壁には、各電気的補助部品に対応して開口部等が形成されているとともに、段状に突出した遮光壁８１ｂが形成されている。
【００３２】
具体的には、赤外線リモコン信号受信部８４、照度センサ８５及びモニターランプ８８に対応して筒状部８４ａ、８５ａ、８８ａが形成され、スイッチ８７及び常夜灯８６に対応して開口部８７ａ、８６ａが形成され、また、ケースカバー８１ａには、照度センサ８５及びモニターランプ８８に対応して開口部が形成されている。
【００３３】
また、段状に突出した遮光壁８１ｂは、赤外線リモコン信号受信部８４及び照度センサ８５のセンサ部と、常夜灯８６及びモニターランプ８８の発光部とを仕切って分離するように配設されている。センサ部は、主として光を受光して動作する部分であり、発光部は、光を放射する部分である。
【００３４】
これらセンサ部と発光部とを遮光壁８１ｂによって分離することにより、発光部から放射される光は、遮光壁８１ｂで遮光され、これがセンサ部に作用して、ノイズとなって動作に不具合が生じるのを回避することが可能となる。
【００３５】
ここで、赤外線リモコン信号受信部８４に対応する筒状部８４ａは、外部からの赤外線によるノイズを抑制する作用を有している。また、照度センサ８５に対応する筒状部８５ａは、発光部である導光板７からの光の影響を抑制し、照度の検知範囲、すなわち、照度センサ８５の受光範囲を定める作用を有している。このため内周面が傾斜状に形成されている。
【００３６】
このように構成された補助部品ユニット８は、複数の電気的補助部品が集中化して設けられていて、本体枠９の外周縁部に取付けられる。また、補助部品ユニット８は、点灯装置２とハーネスを介して接続されており、点灯装置２を通じて電源が供給されるようになっている。
【００３７】
本体枠９は、ＡＢＳ樹脂やポリカーボネート等の合成樹脂から作られていて、略正方形状であって前記導光板７の寸法より大きな枠状に形成されており、側壁９１と、この側壁９１の下端部から内側に向かって斜め下方に延出し、さらに内側に向かって斜めに立ち上がる傾斜状部を有する底壁９２とを備えている。また、底壁９２には、複数のボス９３が立設されており、このボス９３には、サポートシャーシ３の取付片３２がねじ止めされるようになっている。
【００３８】
カバー部材１０は、図５、図８及び図９の参照を加えて示すように、アクリル樹脂やポリカーボネート等の透光性を有する合成樹脂材料から略正方形状で前面側が凸となるように形成されている。また、前面側の表面には、拡散性の機能を果たす多数の凹凸が形成されている。このカバー部材１０は、前記アダプタガイド５に取付けられていて、前記係合口５１に対向して係合口５１を開閉可能に覆うようになっており、さらに、取外し可能になっている。
【００３９】
続いて、アダプタＡは、図２及び図１１に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置２へ接続する図示しない電源コードが導出されていて、点灯装置２とコネクタを介して接続されるようになっている。
【００４０】
赤外線リモコン送信器Ｒは、例えば、周波数３８ｋＨｚのパルス状の特定のコード化された赤外線リモコン制御信号を送信するもので、例えば、全光点灯ボタン、調光点灯ボタン、常夜灯ボタンや消灯ボタン等が設けられている。このリモコン送信器Ｒを補助部品ユニット８、すなわち、赤外線リモコン信号受信部に向けて操作することによって光源部６における発光素子６１の発光状態、つまり、全光点灯、調光点灯、消灯等の制御を行うことができる。
【００４１】
次に、上記のように構成された照明器具の天井面Ｃへの取付状態について、図１１を参照して説明する。なお、図においてアダプタＡから導出される電源コードの図示は省略している。
【００４２】
図１１に示すように、天井面Ｃに引掛けシーリングボディＣｂが設置されている。また、この引掛けシーリングボディＣｂには、アダプタＡが電気的かつ機械的に接続されている。この状態からカバー部材１０を開き又は取外して係合口５１を開放状態として図示矢印で示すように、器具本体１におけるアダプタガイド５の係合口５１をアダプタＡに合わせながら、アダプタＡの係止部Ａ1がアダプタガイド５の係合口５１に確実に係合するまで器具本体１を下方から手で押し上げて取付け操作を行い、カバー部材１０で係合口５１を覆い閉塞状態とする。
【００４３】
これにより、器具本体１の取付状態では、アダプタＡがセンターシャーシ４の開口４２を挿通し、アダプタＡの係止部Ａ1がアダプタガイド５の係合口５１に係止されて取付状態が保持される。
【００４４】
また、器具本体１を取外す場合には、カバー部材１０を開き又は取外し、アダプタＡに設けられているレバーを操作してアダプタＡの係止部Ａ1の係合を解くことにより取外すことができる。
【００４５】
照明器具の取付状態において、点灯装置２に電力が供給されると、基板６２を介して発光素子６１に通電され、各発光素子６１が点灯する。発光素子６１から出射された光は、導光板７の光入射端面７２へ入射し、この入射した光は、導光板７内で全反射して導光板７全体に広がるとともに、背面側に形成された反射ドットからなるドットパターンによって拡散反射され、さらに前面側の拡散シートによって拡散されて均質化された光が前面側から放射される。また、導光板７から漏れた一部の光は、反射シートによって反射され前面側に放射されて再利用されるようになる。
【００４６】
ここで、例えば、常夜灯８６が点灯された場合、遮光壁８１ｂが配設されているため、この常夜灯８６から放射される光が照度センサ８５に直接的に影響して、これがノイズとなって照度センサ８５の動作に不具合を発生させるような現象を防ぐことができる。
また、カバー部材１０は、透光性を有しているので、導光板７から漏れた光を透過させることができ、暗さ感を抑制できる。
【００４７】
さらに、各発光素子６１から発生する熱は、基板６２裏面側から取付板６３に伝導され、サポートシャーシ３に伝導され、サポートシャーシ３の広い面積で効果的に放熱される。
【００４８】
以上のように本実施形態によれば、各補助部品が集中化されているため配線処理や組立作業の効率の向上を図ることができるとともに、センサ部の動作において不具合が生じるのを回避し得る補助部品ユニット及び照明器具を提供することができる。
本発明は、上記実施形態の構成に限定されることなく、発明の要旨を逸脱しない範囲で種々の変形が可能である。
【符号の説明】
【００４９】
１・・・器具本体、２・・・点灯装置、３・・・サポートシャーシ、
４・・・センターシャーシ、５・・・取付部（アダプタガイド）、６・・・光源部、
７・・・導光板、８・・・補助部品ユニット、９・・・本体枠、
１０・・・カバー部材、５１・・・係合口、６１・・・発光素子、
６２・・・基板、７１・・・導光板の開口、７２・・・光入射端面、
８１ｂ・・・遮光壁、８２・・・ユニット基板、
８４・・・赤外線リモコン信号受信部、８５・・・照度センサ、８６・・・常夜灯、
８８・・・モニターランプ、Ａ・・・アダプタ、Ｃ・・・器具取付面（天井面）、
Ｃｂ・・・配線器具（引掛けシーリングボディ）
Ｒ・・・赤外線リモコン送信器
【図１】
2012109058.tif 000003
【図２】
2012109058.tif 000004
【図３】
2012109058.tif 000005
【図４】
2012109058.tif 000006
【図５】
2012109058.tif 000007
【図６】
2012109058.tif 000008
【図７】
2012109058.tif 000009
【図８】
2012109058.tif 000010
【図９】
2012109058.tif 000011
【図１０】
2012109058.tif 000012
【図１１】
2012109058.tif 000013